(57)【特許請求の範囲】
【請求項１】
略平板状に成形されて左右幅方向に複数連設可能とされ、所望の棚部上に載置される底板（１）と、
前方に向かって上面部が階段状に下降する複数列の段部（１９）を有して前記底板（１）上に載置される支持棚（２）と、
前記支持棚（２）上に載置され、各種所定の商品を専用に陳列する各種専用台（３）と、
前記支持棚（２）の最前列の段部（１９）に載置され、後方の段部（１９）にある前記専用台（３）に陳列された商品のサンプルを専用に陳列するサンプル台（４）と、
前記底板（１）の前端にて左右幅方向に連続する取付溝（１１）に挿通して載置され、前記専用台（３）に陳列された商品の色合いなどを示すテスター（５９）と、
を備え、
前記底板（１）と支持棚（２）とは、支持棚（２）の前端及び後端に突出した係止片（１８）を底板（１）に形成した係止穴（１５）に挿通させることにより位置決めされ、
前記支持棚（２）と専用台（３）とは、専用台（３）の底面の突出した係合突起（２４）を支持棚（２）に形成した係合穴（２０ａ）に係合させることにより位置決めされ、
前記サンプル台（４）は、その正面板の下端（２５ａ）を前記底板（１）の前縁に沿って形成される第一溝条（８）に挿入し、正面板の下端（２５ａ）面に形成した係止片（２９）を第一溝条（８）内の係止穴（１６）に挿入させることにより位置決めされ、
前記棚部（６２）が、平行に立設された一対の支柱（６４）の間に上下位置を可変自在として支持される略矩形状の枠体をなす基枠（６９）と、前記基枠（６９）の上に着脱自在に載置される棚板（７０）とを有してなり、
前記底板（１）は、前記基枠（６９）の内縁に係止する脚部（１３）を有して、前記棚板（７０）を除いた前記基枠（６９）上にて左右幅方向に複数連設されて載置されることを特徴とする陳列棚。
【請求項２】
略平板状に成形されて左右幅方向に複数連設可能とされ、所望の棚部上に載置される底板（１）と、
前方に向かって上面部が階段状に下降する複数列の段部（１９）を有して前記底板（１）上に載置される支持棚（２）と、
前記支持棚（２）上に載置され、各種所定の商品を専用に陳列する各種専用台（３）と、
前記支持棚（２）の最前列の段部（１９）に載置され、後方の段部（１９）にある前記専用台（３）に陳列された商品のサンプルを専用に陳列するサンプル台（４）と、
前記底板（１）の前端にて左右幅方向に連続する取付溝（１１）に挿通して載置され、前記専用台（３）に陳列された商品の色合いなどを示すテスター（５９）と、
を備え、
前記底板（１）と支持棚（２）とは、支持棚（２）の前端及び後端に突出した係止片（１８）を底板（１）に形成した係止穴（１５）に挿通させることにより位置決めされ、
前記支持棚（２）と専用台（３）とは、専用台（３）の底面の突出した係合突起（２４）を支持棚（２）に形成した係合穴（２０ａ）に係合させることにより位置決めされ、
前記サンプル台（４）は、その正面板の下端（２５ａ）を前記底板（１）の前縁に沿って形成される第一溝条（８）に挿入し、正面板の下端（２５ａ）面に形成した係止片（２９）を第一溝条（８）内の係止穴（１６）に挿入させることにより位置決めされ、
前記棚部（７５）が、垂直な面に水平にして上下方向に複数配列された係止片に係止される鉤状フック（７９）を有する係止部（７６）と、前記係止部（７６）に固定されて前方に水平に延設された一対の腕部（７７）とを有してなり、
前記底板（１）は、前記各腕部（７７）に挿通係止する脚部（１３）を有して、前記腕部（７７）に支持されることを特徴とする陳列棚。
【請求項３】
前記係止部（７６）には、前記係止片からの鉤状フック（７９）の抜け止めをするネジ部材（８３）を螺着させるネジ穴（８４）が上下方向に複数併設され、前記係止片の上下方向の配列の異なりに対応して、前記ネジ部材（８３）の上下位置を可変することを特徴とする請求項２に記載の陳列棚。
【発明の詳細な説明】
【０００１】
【発明の属する技術分野】
本発明は、各種所望の商品を様々に陳列できる陳列棚に関するものである。
【０００２】
【従来の技術】
一般に、店内において新製品や売出し商品を陳列する場合、これら商品専用の陳列スペースを確保して演出効果を高めたいという要望がある。このような場合には、専用の陳列棚を新たに増設するか、あるいは店内に設置されている既存の棚板にこれら商品を陳列する。
【０００３】
専用の陳列棚を増設するには、店内にそのスペースを確保することができなかったり、店内のレイアウトを変更できない諸事情があるなど、困難を伴う場合が多い。このため、多くは、既存の棚板に陳列スペースを確保することになる。
【０００４】
従来、既存の陳列棚の棚板を利用した上で、所望の商品などの専用の陳列スペースを確保し、陳列された商品などを明示するようにするため、図２６で示す陳列棚１００が提案されている。
【０００５】
この陳列棚１００は、例えば、口紅、ファンデーション、マニキュアなどの各種所望の商品を陳列するため、各種商品に応じた各小棚１００ａを有している。また、陳列棚１００は、樹脂材をブロー成形などすることにより専用の各小棚１００ａが一体に成形されている。この陳列棚１００は、既存の棚板に載置され、演出効果の得られる専用の陳列スペースを確保する。
【０００６】
【発明が解決しようとする課題】
上述した従来の陳列棚１００は、樹脂材をブロー成形することにより一体成形してなるものであるため、各小棚１００ａの形状が決められてしまう。これにより、各種商品を新製品と入れ換えする際に、商品の形状が異なる場合では、その商品を陳列することができなくなる。また、陳列しない商品があるとその商品にかかる小棚１００ａが空きとなってしまうという問題がある。
【０００７】
また、従来の陳列棚１００は、樹脂材をブロー成形することにより一体成形してなるものであるため、主に左右幅方向の寸法が決められてしまう。これにより、陳列棚１００を置くべき既存の棚板への左右幅方向の陳列スペースが決まってしまうので、陳列スペースを拡張したり、あるいは縮小する場合、これに対応することができない。
【０００８】
そこで本発明は、上記課題を解消するために、各種商品の形状に対応して商品を陳列することができ、且つ、陳列スペースに応じた商品の陳列を行うこともできる陳列棚を提供することを目的としている。
【０００９】
【課題を解決するための手段】
上記目的を達成するため本発明による請求項１に記載の陳列棚は、
略平板状に成形されて左右幅方向に複数連設可能とされ、所望の棚部上に載置される底板（１）と、
前方に向かって上面部が階段状に下降する複数列の段部（１９）を有して前記底板（１）上に載置される支持棚（２）と、
前記支持棚（２）上に載置され、各種所定の商品を専用に陳列する各種専用台（３）と、
前記支持棚（２）の最前列の段部（１９）に載置され、後方の段部（１９）にある前記専用台（３）に陳列された商品のサンプルを専用に陳列するサンプル台（４）と、
前記底板（１）の前端にて左右幅方向に連続する取付溝（１１）に挿通して載置され、前記専用台（３）に陳列された商品の色合いなどを示すテスター（５９）と、
を備え、
前記底板（１）と支持棚（２）とは、支持棚（２）の前端及び後端に突出した係止片（１８）を底板（１）に形成した係止穴（１５）に挿通させることにより位置決めされ、
前記支持棚（２）と専用台（３）とは、専用台（３）の底面の突出した係合突起（２４）を支持棚（２）に形成した係合穴（２０ａ）に係合させることにより位置決めされ、
前記サンプル台（４）は、その正面板の下端（２５ａ）を前記底板（１）の前縁に沿って形成される第一溝条（８）に挿入し、正面板の下端（２５ａ）面に形成した係止片（２９）を第一溝条（８）内の係止穴（１６）に挿入させることにより位置決めされ、
前記棚部（６２）が、平行に立設された一対の支柱（６４）の間に上下位置を可変自在として支持される略矩形状の枠体をなす基枠（６９）と、前記基枠（６９）の上に着脱自在に載置される棚板（７０）とを有してなり、
前記底板（１）は、前記基枠（６９）の内縁に係止する脚部（１３）を有して、前記棚板（７０）を除いた前記基枠（６９）上にて左右幅方向に複数連設されて載置されることを特徴とする。
【００１０】
請求項２に記載の陳列棚は、略平板状に成形されて左右幅方向に複数連設可能とされ、所望の棚部上に載置される底板（１）と、
前方に向かって上面部が階段状に下降する複数列の段部（１９）を有して前記底板（１）上に載置される支持棚（２）と、
前記支持棚（２）上に載置され、各種所定の商品を専用に陳列する各種専用台（３）と、
前記支持棚（２）の最前列の段部（１９）に載置され、後方の段部（１９）にある前記専用台（３）に陳列された商品のサンプルを専用に陳列するサンプル台（４）と、
前記底板（１）の前端にて左右幅方向に連続する取付溝（１１）に挿通して載置され、前記専用台（３）に陳列された商品の色合いなどを示すテスター（５９）と、
を備え、
前記底板（１）と支持棚（２）とは、支持棚（２）の前端及び後端に突出した係止片（１８）を底板（１）に形成した係止穴（１５）に挿通させることにより位置決めされ、
前記支持棚（２）と専用台（３）とは、専用台（３）の底面の突出した係合突起（２４）を支持棚（２）に形成した係合穴（２０ａ）に係合させることにより位置決めされ、
前記サンプル台（４）は、その正面板の下端（２５ａ）を前記底板（１）の前縁に沿って形成される第一溝条（８）に挿入し、正面板の下端（２５ａ）面に形成した係止片（２９）を第一溝条（８）内の係止穴（１６）に挿入させることにより位置決めされ、
前記棚部（７５）が、垂直な面に水平にして上下方向に複数配列された係止片に係止される鉤状フック（７９）を有する係止部（７６）と、前記係止部（７６）に固定されて前方に水平に延設された一対の腕部（７７）とを有してなり、
前記底板（１）は、前記各腕部（７７）に挿通係止する脚部（１３）を有して、前記腕部（７７）に支持されることを特徴とする。
【００１１】
請求項３に記載の陳列棚は、請求項２に記載の陳列棚において、
前記係止部（７６）には、前記係止片からの鉤状フック（７９）の抜け止めをするネジ部材（８３）を螺着させるネジ穴（８４）が上下方向に複数併設され、前記係止片の上下方向の配列の異なりに対応して、前記ネジ部材（８３）の上下位置を可変することを特徴とする。
【００１５】
【発明の実施の形態】
以下、本発明の実施の形態を図面を参照して具体的に説明する。
本発明の陳列棚は、底板１と、支持棚２と、専用台３と、サンプル台４とからなる。
【００１６】
まず、底板１について説明する。図１は本発明の陳列棚の底板を示す斜視図、図２は前記底板の平面図、図３は前記底板の正面図、図４は図２におけるＡ−Ａ断面図である。
【００１７】
底板１は、合成樹脂材によって成形され、矩形をなす平板体を基部としている。この底板１の前端には、底板１の左右幅方向に沿って底板１の上面から垂直に立設された第一立片６が形成されている。第一立片６の前側には、第一立片６に所定間隔をおいて、底板１の左右幅方向に沿って底板１の上面から垂直に立設された第二立片７が形成されている。第二立片７は、第一立片６よりも立設高さが高い。そして、第一立片６と第二立片７との間には、上方および左右幅方向に開口する第一溝条８が形成される。また、第二立片７の前側には、第二立片７と平行であり、第二立片７に所定間隔をおくようにリブ９を介して設けられた第三立片１０が形成されている。第三立片１０は、第二立片７の上端と同じ高さとされている。そして、第二立片７と第三立片１０との間には、リブ９を底として上方および左右幅方向に開口する取付溝としての第二溝条１１が形成される。
【００１８】
底板１の後端には、底板１の左右幅方向に沿って底板１の上面から垂直に立設された背板１２が形成されている。この背板１２は、上記第一立片６，第二立片７，第三立片１０よりも立設高さが高い。
【００１９】
底板１の左右両側端には、底板１の底面側に延設された脚部１３が形成されている。脚部１３は、底板１の各側端の前側と後側にそれぞれ設けられ、且つ、左右幅方向に対向して計四箇所に形成されている。脚部１３は、底板１の側端から一旦下方に延び、その後に左右幅方向に折れて延びて底部１３ａをなし、さらに先端１３ｂが下方に向いて、略Ｚ字状に形成されている。
【００２０】
底板１の底面には、支持リブ１４が形成されている。支持リブ１４は、底板１の前端と後端にそれぞれ対をなして設けられて計四箇所に形成されている。また、支持リブ１４は、下方に延設された下端１４ａが、上記脚部１３の底部１３ａと同一面上となる。
【００２１】
第一立片６および背板１２の付け根部分となる底板１の面には、後述の支持棚２などが係止される係止穴１５が計四箇所に設けられている。また、第一立片６と第二立片７との間の第一溝条８の底部分には、後述するサンプル台４が係止される係止穴１６が計二箇所に設けられている。さらに、底板１の前端の両側部近傍には、前後方向に複数（図２中四個）併設された位置決め穴１７が設けられている。
【００２２】
上記構成の底板１は、第一立片６、第二立片７、第三立片１０および背板１２の左右幅方向の端部が面一に形成されている。これにより、底板１は、左右幅方向に複数連設可能となっている。
【００２３】
次に、支持棚２について説明する。図５は本発明の陳列棚の支持棚を示す斜視図、図６は前記支持棚の平面図である。
【００２４】
支持棚２は、前後方向の寸法が、底板１の第一立片６と背板１２の間隔と略一致し、左右幅方向の寸法が、底板１の左右幅方向の寸法と略一致するように略矩形状をなし、底板１の上面に載置される。支持棚２の前端および後端には、底板１の上面に載置された際、底板１の各係止穴１５にそれぞれ挿通される各係止片１８が設けられている。支持棚２は、各係止片１８の各係止穴１５への挿通により、底板１の上面にて位置決めされて載置される。
【００２５】
また、支持棚２は、前方に向かって下降する複数列（本実施の形態では三列）の段部１９を有している。各段部１９には、後述する専用台３あるいはサンプル台４が載置される。また、各段部１９には、専用台３あるいはサンプル台４を係合する係合穴２０が複数形成されている。
【００２６】
係合穴２０は、図６に示すように、各段部１９において横軸Ｙ１，Ｙ２と縦軸Ｚ１，Ｚ２，Ｚ３との交差部分に分類されている。具体的には、最上段（後列）および中段（中列）となる段部１９において、Ｙ１−Ｚ１にかかる係合穴２０ａと、Ｙ２−Ｚ２にかかる係合穴２０ｂと、Ｙ１−Ｚ３にかかる係合穴２０ｃとが設けられている。また。最下段（前列）となる段部１９において、Ｙ２−Ｚ２（Ｙ１−Ｚ２）にかかる係合穴２０ｂと、Ｙ１−Ｚ３（Ｙ２−Ｚ３）にかかる係合穴２０ｃとがある。
【００２７】
次に、専用台３について説明する。専用台３は、所定の商品を専用に陳列するものである。即ち、本発明における専用台３には、各種商品に応じて各種のものがある。図７では本発明の専用台の第一例を示す。
【００２８】
図７に示すように、専用台３（３ａ）は、取付板２２と仕切部材２３とからなる。取付板２２は、支持棚２の段部１９上にて段部１９の左右幅方向に沿って載置されるように左右幅方向に長手の平板状に形成されている。取付板２２の底面には、係合突起２４が形成されている。この係合突起２４は、取付板２２の底面に二箇所設けられ、段部１９の係合穴２０ａに係合する。
【００２９】
仕切部材２３は、取付板２２の上面を所定の商品の大きさに応じて仕切る。図７に示す第一例の専用台３ａでは、口紅を所定の商品としている。口紅は、長手状の直方体とされた箱に収容されている。そして図７で示す仕切部材２３は、口紅が収容された箱を、左右幅方向に十一個で前後方向に二列並べられるように、取付板２２の上面の前側および左右両側にてＴ字形に立設された複数のＴ字形仕切部材２３ａと、取付板２２の上面の左右幅方向に沿って十字形に立設された複数の十字形仕切部材２３ｂを有している。
【００３０】
次に、サンプル台４について説明する。サンプル台４は、専用台３に陳列された所定の商品にかかるサンプルを専用に陳列するものである。即ち、本発明におけるサンプル台４には、各種商品に応じて各種のものがある。図８では本発明のサンプル台の第一例を示す。
【００３１】
図８に示すように、サンプル台４（４ａ）は、上記専用台３ａに陳列された所定の商品としての口紅のサンプルが陳列される。このサンプル台４ａは、支持棚２の段部１９の左右幅方向に沿って左右幅方向に長手に形成されている。サンプル台４ａは、正面側にて上方に向く正面板２５を有している。正面板２５は、その後方に連続して傾斜する上面板２６とによって山形に形成されている。正面板２５および上面板２６の両側部には、側面板２７が形成されている。正面板２５には、所定のサンプル（第一例では口紅）が挿通支持される陳列用穴２８が設けられている。この陳列用穴２８は、上記専用台３ａに陳列される口紅の左右幅方向の数（十一個）と同じ数（十一個）設けられている。また、正面板２５の下端２５ａは、底板１における第一立片６と第二立片７との間の第一溝条８に挿通するように延設されている。この下端２５ａには、第一溝条８内の係止穴１６に挿通される係止片２９が設けられている。
【００３２】
このように構成された陳列棚は、図９で示す使用状態の第一例のように、底板１の上面に支持棚２が載置される。支持棚２は、係止片１８を底板１の係止穴１５に挿通させて位置決めされる。そして、支持棚２の最上段（後列）の段部１９と、中段（中列）の段部１９には、それぞれ専用台３ａが載置される。各専用台３ａは、係合突起２４を係合穴２０ａに係合させて位置決めされる。これら専用台３ａには、所定の商品としての口紅が箱に収容された状態で陳列される。
【００３３】
また、支持棚２の最下段（前列）の段部１９には、サンプル台４ａが載置される。サンプル台４ａは、側面板２７が段部１９上に載り、正面板２５の下端２５ａを底板１の第一溝条８に挿通させ、且つ、係止片２９を係止穴１６に挿通させて位置決めされる。このサンプル台４ａには、各陳列用穴２８に所定の商品としての口紅のサンプルが挿通されて陳列される。
【００３４】
また、底板１の第二立片７と第三立片１０の間の第二溝条１１には、陳列された商品（口紅）の金額などの標示カードが取り付けられる標示部３０ａを有した標示パネル３０が取り付けられる。標示パネル３０は、後側に複数の取付片３０ｂを有し、第二溝条１１に対して高さを可変して取り付けられるようになっている。
【００３５】
上述の如く底板１に載置された支持棚９に対し、専用台３ａおよびサンプル台４ａを用いて所定の商品（口紅）を陣列した第一例では、図１０（ａ）の使用状態の模式図に示すように、サンプル十一種の後側に、箱に収容された商品（口紅）が各四個陳列される。
【００３６】
以下、他の専用台３およびサンプル台４について説明する。
図１１は本発明の専用台の第二例を示す斜視図、図１２は本発明のサンプル台の第二例を示す斜視図、図１３（ａ）は本発明のサンプル台の第二例を示す正面図、図１３（ｂ）は本発明のサンプル台の第二例を示す側断面図、図１４は使用状態の第二例を示す側断面図である。
【００３７】
図１１に示すように、専用台３（３ｂ）は、取付板３２と、仕切部材３３とからなる。取付板３２は、支持棚２の段部１９上にて段部１９の左右幅方向に沿って載置されるように左右幅方向に長手の平板状に形成されている。取付板３２の底面には、係合突起３４が形成されている。この係合突起３４は、取付板３２の底面に二箇所設けられ、段部１９の係合穴２０ａに係合する。
【００３８】
仕切部材３３は、取付板３２の上面を所定の商品の大きさに応じて仕切る。図１１に示す第二例の専用台３ｂでは、リキッドタイプのファンデーション（以下リキッドファンデーションという）を所定の商品としている。リキッドファンデーションは、直方体の箱に収容されている。そして、仕切部材３３は、リキッドファンデーションが収容された箱を、左右幅方向に五個で前後方向に二列並べられるように、取付板３２の上面の前側および左右両側にてＴ字形に立設された複数のＴ字形仕切部材３３ａと、取付板３２の上面の左右幅方向に沿って十字形に立設された複数の十字形仕切部材３３ｂを有している。
【００３９】
図１２および図１３に示すように、サンプル４（４ｂ）は、載置部３６（図１２参照）と載置パネル３７（図１３参照）とからなる。載置部３６は、支持棚２の段部１９の左右幅方向に沿って左右幅方向に長手に形成されている。載置部３６は、底面板３８と背面板３９とを有して断面略Ｌ字形とされている。底面板３８は、最下段（前列）の段部１９に載置されるように平板状に形成されている。底面板３８の底面には、係合突起４０が形成されている。この係合突起４０は、底面板３８の底面の左右側部に二箇所設けられ、段部１９の係合穴２０ｂ（あるいは２０ｃ）の二箇所に係合する。背面板３９は、最下段（前列）の段部１９と、中段（中列）の段部１９との間の段差部分に当接する。また、底面板３８の前端および背面板３９の上端には、載置パネル３７を支持する支持段部４１がそれぞれ形成されている。そして、背面板３９側の支持段部４１には、載置パネル３７が係止される係止穴４２が左右幅方向に沿って複数（本例では五箇所）設けられている。
【００４０】
載置パネル３７は、支持棚２の段部１９の左右幅方向に対して複数（本例では五個）に等分された左右幅寸法とされている。載置パネル３７は、正面板４３と、この正面板４３の上下から背面側に延設された支持部４４を有して断面略コ字形をなしている。また、上側の支持部４４の先端には、載置部３６の支持段部４１にある係止穴４２に挿通される係止片４５が設けられている。また、正面板４３には、所定のサンプル（第二例ではリキッドファンデーション）が挿通支持される陳列用穴４６が設けられている。
【００４１】
このように構成された陳列棚は、図１４に示すように、底板１の上面に支持棚２が載置される。支持棚２は、係止片１８を底板１の係止穴１５に挿通させて位置決めされる。そして、支持棚２の最上段（後列）の段部１９と、中段（中列）の段部１９には、それぞれ専用台３ｂが載置される。各専用台３ｂは、係合突起３４を係合穴２０ａに係合させて位置決めされる。これら専用台３ｂには、所定の商品としてのリキッドファンデーションが箱に収容された状態で陳列される。
【００４２】
また、支持棚２の最下段（前列）の段部１９には、サンプル台４ｂが載置される。サンプル台４ｂは、載置部３６が係合突起４０を係合穴２０ｂ（あるいは２０ｃ）に係合させて位置決めされる。そして、載置部３６には、載置パネル３７が支持される。載置パネル３７は、各支持部４４を載置部３６の支持段部４１に載せ、係止穴４２に係止片４５を挿通係止することにより位置決めされる。これにより、載置パネル３７は、載置部３６の底面板３８と背面板３９の間にて、正面板４３が正面側にて上方に向くように配される。また、載置パネル３７は、載置部３６の左右幅方向に沿って五個併設される。このサンプル台４ｂには、各陳列用穴４６に所定の商品としてのリキッドファンデーションのサンプルが挿通されて陳列される。
【００４３】
また、図１４では図示しないが、底板１の第二立片７と第三立片１０の間の第二溝条１１には、陳列された商品（リキッドファンデーション）の金額などの標示カードが取り付けられる標示部３０ａを有した標示パネル３０が取り付けられる。標示パネル３０は、後側に複数の取付片３０ｂを有し、第二溝条１１に対して高さを可変して取り付けられるようになっている（図９参照）。
【００４４】
上述の如く底板１に載置された支持棚９に対し、専用台３ｂおよびサンプル台４ｂを用いて所定の商品（リキッドファンデーション）を陣列した第二例では、図１０（ｂ）の使用状態の模式図に示すように、サンプル五種の後側に箱に収容された商品（口紅）が各四個陳列されることとなる。
【００４５】
以下、他の専用台３およびサンプル台４について説明する。
図１５は本発明の専用台の第三例を示す斜視図、図１６は使用状態の第三例を示す側断面図である。
【００４６】
図１５に示すように、専用台３（３ｃ）は、矩形状とされた底面板４８の四辺に側板４９が立設されたトレイをなす。底面板４８は、支持棚２の段部１９上にて段部１９の左右幅方向に対して複数（本例では四個）に等分された左右幅寸法とされている。底面板４８の底面には、係合突起５０が形成されている。この係合突起５０は、段部１９の係合穴２０ｃに係合する。
【００４７】
上記第三例の専用台３ｃは、側板４９にて囲まれた内部に所定の商品を陳列する。この専用台３ｃでは、固形タイプのファンデーション（以下固形ファンデーションという）を所定の商品としている。第三例での固形ファンデーションは、コンパクトとともに直方体の箱に収容されている。そして、専用台３ｃは、固形ファンデーションが収容された箱を、前後方向に二個並べられる。
【００４８】
サンプル台４は、本第三例では、図１２に示す載置部３６が用いられる。したがって、その説明は省略する。
【００４９】
このように構成された陳列棚は、図１６に示すように、底板１の上面に支持棚２が載置される。支持棚２は、係止片１８を底板１の係止穴１５に挿通させて位置決めされる。そして、支持棚２の最上段（後列）の段部１９と、中段（中列）の段部１９には、それぞれ専用台３ｃが載置される。各専用台３ｃは、係合突起５０を係合穴２０ｃに係合させて位置決めされる。また、専用台３ｃは、段部１９の左右幅方向に沿って四個併設される。これら専用台３ｃには、所定の商品としての固形ファンデーションがコンパクトとともに箱に収容された状態で陳列される。
【００５０】
また、支持棚２の最下段（前列）の段部１９には、サンプル台４としての載置部３６が載置される。載置部３６は、係合突起４０を係合穴２０ｂ（あるいは２０ｃ）に係合させて位置決めされる。そして、載置部３６の支持段部４１には、固形ファンデーションのサンプルが陳列される。このサンプルは、載置部３６の底面板３８と背面板３９の間にて、正面側が上方に向くように斜めに配される。また、サンプルは、載置部３６の左右幅方向に沿って五個併設される。
【００５１】
また、図１６では図示しないが、底板１の第二立片７と第三立片１０の間の第二溝条１１には、陳列された商品（固形ファンデーション）の金額などの標示カードが取り付けられる標示部３０ａを有した標示パネル３０が取り付けられる。標示パネル３０は、後側に複数の取付片３０ｂを有し、第二溝条１１に対して高さを可変して取り付けられるようになっている（図９参照）。
【００５２】
上述の如く底板１に載置された支持棚９に対し、専用台３ｃおよびサンプル台４（載置部３６）を用いて所定の商品（固形ファンデーション）を陣列した第三例では、図１０（ｃ）の使用状態の模式図に示すように、サンプル五種の後側にコンパクトとともに箱に収容された商品（固形ファンデーション）が左右幅方向に四個で前後に各四個陳列されることとなる。
【００５３】
なお、専用台３ｃは、際下段（前列）の段部１９にも載置することが可能である。この場合、係合突起５０を係合穴２０ｃに係合させて位置決めされる。そして、図１０（ｄ）の使用状態の模式図に示すように、サンプルを陳列せずに、コンパクトとともに箱に収容された商品（固形ファンデーション）が左右幅方向に四個で前後に各六個陳列されることとなる。
【００５４】
以下、他の専用台３について説明する。
図１７は本発明の専用台の第四例を示す斜視図、図１８は使用状態の第四例を示す側断面図である。
【００５５】
図１７に示すように、専用台３（３ｄ）は、矩形状とされた底面板５２の正面側を除く三辺に側板５３が立設されたトレイをなす。底面板５２は、支持棚２の段部１９上にて段部１９の左右幅方向に対して複数（本例では五個）に等分された左右幅寸法とされている。底面板５２の底面には、係合突起５４が形成されている。この係合突起５４は、段部１９の係合穴２０ｂに係合する。
【００５６】
上記第四例の専用台３ｄは、側板５３にて囲まれた内部に所定の商品を陳列する。この専用台３ｄでは、固形タイプのファンデーション（以下固形ファンデーションという）を所定の商品としている。第四例での固形ファンデーションは、単体で直方体の箱に収容されている。そして、専用台３ｄは、固形ファンデーションが単体で収容された箱を、前後方向に三個並べられる。
【００５７】
このように構成された陳列棚は、図１８に示すように、底板１の上面に支持棚２が載置される。支持棚２は、係止片１８を底板１の係止穴１５に挿通させて位置決めされる。そして、支持棚２の各段部１９には、それぞれ専用台３ｄが載置される。各専用台３ｄは、係合突起５４を係合穴２０ｂに係合させて位置決めされる。また、専用台３ｄは、各段部１９の左右幅方向に沿って五個併設される。これら専用台３ｄには、所定の商品としての固形ファンデーションが単体で箱に収容された状態で陳列される。
【００５８】
また、図１８では図示しないが、底板１の第二立片７と第三立片１０の間の第二溝条１１には、陳列された商品（固形ファンデーション）の金額などの標示カードが取り付けられる標示部３０ａを有した標示パネル３０が取り付けられる。標示パネル３０は、後側に複数の取付片３０ｂを有し、第二溝条１１に対して高さを可変して取り付けられるようになっている（図９参照）。
【００５９】
上述の如く底板１に載置された支持棚９に対し、専用台３ｄを用いて所定の商品（固形ファンデーション）を陣列した第四例では、図１０（ｅ）の使用状態の模式図に示すように、箱に収容された商品（固形ファンデーション）が左右幅方向に五個で前後に各９個陳列されることとなる。
【００６０】
以下、他の専用台３について説明する。
図１９は本発明の専用台の第五例を示す斜視図、図２０は使用状態の第五例を示す側断面図である。
【００６１】
図１９に示すように、専用台３（３ｅ）は、前後方向の寸法が、底板１の第一立片６と背板１２の間隔と略一致し、左右幅方向の寸法が、底板１の左右幅方向の寸法と略一致するように略矩形状をなし、底板１の上面に載置される。専用台３ｅの前端および後端には、底板１の上面に載置された際、底板１の各係止穴１５にそれぞれ挿通される各係止片５６が設けられている。専用台３ｅは、各係止片５６の各係止穴１５への挿通により、底板１の上面にて位置決めされて載置される。
【００６２】
また、専用台３ｅは、前方に向かって下降する複数列（本実施の形態では二列）の段部５７を有している。また各段部５７は、仕切板５８によって左右幅方向に分割されている。この分割された段部５７には、所定の商品が陳列される。専用台３ｅでは、マニキュアを所定の商品としている。そして、専用台３ｅは、マニキュアの収容瓶を、左右幅方向に九個で、前側（前列）の段部５７に二個、後側（後列）の段部５７に三個並べられる。
【００６３】
このように構成された陳列棚は、図２０に示すように、底板１の上面に専用台３ｅが載置される。専用台３ｅは、係止片５６を底板１の係止穴１５に挿通させて位置決めされる。そして、専用台３ｅの各段部５８には、所定の商品としてのマニキュアが陳列される。
【００６４】
また、底板１の第一立片６と第二立片７の間の第一溝条８には、マニキュアテスター（テスター）５９が挿通される。このマニキュアテスター５９は、爪の形状をなし、底板１（専用台３ｅ）の左右幅方向に九個併設されて、専用台３ｅに陳列されたマニキュアに対応する色合いが施されている。
【００６５】
また、図２０では図示しないが、底板１の第二立片７と第三立片１０の間の第二溝条１１には、陳列された商品（固形ファンデーション）の金額などの標示カードが取り付けられる標示部３０ａを有した標示パネル３０が取り付けられる。標示パネル３０は、後側に複数の取付片３０ｂを有し、第二溝条１１に対して高さを可変して取り付けられるようになっている（図９参照）。
【００６６】
上述の如く底板１に対し、専用台３ｅを用いて所定の商品（マニキュア）を陣列した第五例では、図１０（ｆ）の使用状態の模式図に示すように、マニキュアテスター５９の後側に、マニキュアが陳列されることとなる。
【００６７】
ところで、上述した各例での陳列棚は、底板１を所定の棚部に載置することで各商品を専用とする陳列場所を確保する。この所定の棚部には、以下に示すものがある。図２１は棚部を有する商品陳列棚を示す斜視図、図２２は前記棚部を示す斜視図、図２３は本発明の陳列棚を棚部に載置した側断面図である。
【００６８】
図２１に示すように、商品陳列棚は、棚本体６１と棚部６２とからなる。
まず、棚本体６１は、床面に載置される基台６３の両側部に立設される長手状の左右一対の支柱６４，６４を有している。支柱６４，６４の前面には、上下方向に所定間隔をおいて複数の支持穴６５が設けられている。この支持穴６５には、棚部６２が取り付け支持される。各支柱６４は、その長手方向（上下方向）に複数連結されてなる。また、各支柱６４の間には、背面パネル６６が取り付けられている。また、各支柱６４の上端には、広告灯６７が取り付けられている。
【００６９】
次に、棚部２は、図２１乃至図２３に示すように、棚本体１に取り付け支持される一対の支持アーム６８と、各支持アーム６８の間で位置決め支持される基枠６９と、基枠６９の上面に載置される棚板７０とを有している。
【００７０】
支持アーム６８は、前後方向に長手状の板体であり、その後端縁に下向き鉤状の係合爪７１を上下に二つ有している。各係合爪７１は、支柱６４に設けられた各支持穴６５の所望の二つに係合する。ゆえに、支持アーム６８は、棚本体６１の支柱６４に上下位置が可変自在に取り付け支持される。また、支持アーム６８の上端縁は平坦に形成され、その部分に前向き鉤状の係合爪７２を前後に二つ有している。この係合爪７２には、基枠６９が係合する。
【００７１】
基枠６９は、前後方向に延在する角柱状の二つの梁材６９ａ，６９ａと、左右方向に延在する角柱状の二つの梁材６９ｂ，６９ｂを連結して枠状に形成されている。この基枠６９は、基台６３に立設された一対の支柱６４，６４の間隔と略同じ寸法の左右幅をなし、上面および底面が平坦に形成されている。また、基枠６９の左右にある梁材６９ａ，６９ａの底面には、支持アーム６８の係合爪７２に係合する係合穴７３が設けられている。ゆえに、基枠６９は、係合穴７３を係合爪７２に挿通し、後方にスライドさせることにより係合爪７２に係合され、左右および後方への位置ズレが抑止されて支持アーム６８の間で位置決め支持される。
【００７２】
棚板７０は、支持アーム６８に支持された基枠６９の上面に載置される。棚板７０は、透明な樹脂板（アクリル樹脂板など）を方形状にしたものである。
【００７３】
本発明の陳列棚は、三つの底板１が上記棚板を除いた基枠６９上に載置される。この場合、二つの底板１は、基枠６９の左右側部において、図２３に示すように、脚部１３の底部１３ａが基枠６９の梁材６９ｂ上に載り、先端１３ｂが梁材６９ｂにおける基枠６９内縁に係る。さらに、底板１は、支持リブ１４が基枠６９の梁材６９ａ上に載る。また、残り一つの底板１は、基枠６９の中央部において、脚部１３が基枠６９内に入り、支持リブ１４が基枠６９の梁材６９ａ上に載る。これにより、三つの底板１が、基枠６９の左右幅方向に連設されて位置決め載置される。
【００７４】
基枠６９に載置された各底板１には、支持棚２、専用台３（３ａ〜３ｅ）、サンプル台４（４ａ〜４ｂ）、マニキュアテスター５９などが載置されて、上述した第一例乃至第五例の形態が採用される。
【００７５】
また、本発明の陳列棚は、他の棚部にも載置できる。図２４は他の棚部を示す斜視図、図２５（ａ），（ｂ）は前記棚部の取付状態を示す側断面図である。
【００７６】
図２４で示す棚部７５は、単一の底板１を載せるものである。棚部７５は、主に係止部７６と腕部７７とからなる。係止部７６は、対をなし、板片７８の上端に鉤状フック７９を有している。この鉤状フック７９は、図２５（ａ），（ｂ）に示すように、垂直な面に水平にして断面略横向きＴ字形とされて、上下方向に複数配列された係止片８０の上端８０ａに係止される。
【００７７】
腕部７７は、長手状の板体の後端７７ａを略Ｌ字形に折り曲げ、この後端７７ａが各係止部７６の板片７８に固定されることにより、先端７７ｂが前方に水平にして延設される。また、腕部７７の延設された先端７７ｂには、上方に折り曲げられた位置決め片８１が形成されている。また、一対の腕部７７は、互いに連結板８２によって連結されている。
【００７８】
また、係止部７６の板片７８および腕部７７の後端７７ａには、図２５（ａ），（ｂ）に示すネジ部材８３が螺着されるネジ穴８４が上下に複数（二個）設けられている。そして、鉤状フック７９を係止片８０に係止した際、板片７８の面が係止片８０の前面８０ｂに当接する。ネジ部材８３は、ネジ穴８４に螺着されることにより、係止片８０の下端８０ｃの直下に延在し、鉤状フック７９が係止片８０の上端８０ａから抜けるのを防止する。また、上下に設けられたネジ穴８４は、図２５（ａ），（ｂ）に示すように、係止片８０の上下方向の配列の異なりに対応して、ネジ部材８３の上下位置を可変する。
【００７９】
本発明の陳列棚は、単一の底板１が各腕部７７上に載置される。この場合、底板１は、脚部１３が、腕部７７の側縁を掴むようにして挿通されることにより腕部７７に係止され、且つ、各位置決め穴１７が位置決め片８１に選択的に挿通されることにより前後方向の位置が決められる。
【００８０】
腕部７７に支持された各底板１には、支持棚２、専用台３（３ａ〜３ｅ）、サンプル台４（４ａ，４ｂ）、マニキュアテスター５９などが載置されて、上述した第一例乃至第五例の形態が採用される。
【００８１】
なお、底板１は、上述した棚部６２（基枠６９），７５のみに限定して載置されるものでなく、一般に用いられている平坦状の既存の棚部（棚板）上にも載置することが可能である。
【００８２】
したがって、このように構成された陳列棚では、底板１や支持棚２を基に、各種専用台３（３ａ〜３ｄ），サンプル台４（４ａ，４ｂ），マニキュアテスター５９を陳列する商品に合わせて採用している。これにより、各種商品（口紅，ファンデーション，マニキュアなど）の形状に対応して、前記各商品を陳列することが可能である。また、底板１や支持棚２を共通としているため、陳列棚そのものを各種商品に応じて個別に用意する必要がない。また、各種専用台３（３ａ〜３ｄ），サンプル台４（４ａ，４ｂ），マニキュアテスター５９の採用により、陳列しない商品の専用台３（３ａ〜３ｄ），サンプル台４（４ａ，４ｂ），マニキュアテスター５９を交換すれば、他の商品が陳列できるので、空き部分をなすことがない。
【００８３】
また、底板１は、左右幅方向に連設可能とされている。これにより、陳列スペースが小さい時は底板１を単一で用い、陳列スペースが大きい時は底板１を複数用いることにより、陳列スペースに応じた商品の陳列が行える。
【００８４】
また、底板１は、平坦状の既存の棚部（棚板）の他、枠状とされた棚部６２（基枠６９）に左右幅方向に複数（三つ）連設させたり，壁面に取り付けられる棚部７５に単一で載置することが可能である。このように、上述した陳列棚は、平坦状の既存の棚部（棚板）以外の所定の棚部６２（基枠６９），７５に応じて、上記の如く各種商品を陳列することが可能である。
【００８５】
【発明の効果】
以上説明したように本発明による陳列棚は、略平板状に成形されて左右幅方向に複数連設可能とされて所望の棚部上に載置される底板上に、前方に向かって下降する複数列の段部を有した支持棚を位置決め載置し、底板および支持棚を共通として各種所定の商品を専用に陳列する各種専用台を支持棚の各段部に載置する。これにより、底板および支持棚を共通として各種専用台を換えることで各種商品の形状に対応して各商品を陳列することができる。また、底板および支持棚を共通としているため、陳列棚そのものを各種商品に応じて個別に用意する必要がない。また、陳列しない商品の専用台を交換することで他の商品が陳列できるので、空き部分をなすことがない。
【００８６】
また、支持棚の最前列の段部に、後方の段部にある専用台に陳列された商品のサンプルを専用に陳列するサンプル台を位置決め載置する。これにより、底板および支持棚を共通として陳列した商品のサンプルを陳列することができる。
【００８７】
さらに、前記底板上に、所定の商品を専用に陳列する専用台を載置し、専用台に陳列された商品の色合いなどを示すテスターを底板の前端にて左右幅方向に連続する取付溝に挿通して載置する。これにより、底板を共通として専用台を換えることで各種商品の形状に対応して各商品を陳列することができる。また、底板を共通としているため、陳列棚そのものを各種商品に応じて個別に用意する必要がない。また、底板の前端の取付溝にテスターを挿通することにより専用台に陳列された商品の色合いを適宜示すことができる。
【００８８】
前記底板が、棚部の基枠の内縁に係止する脚部を有して基枠上にて左右幅方向に複数連設されて載置される。このように底板は、枠体をなす所定の棚部の基枠に対して位置決めして安全に連設載置することができる。
【００８９】
前記底板が、前方に水平に延設された一対の腕部に挿通係止する脚部を有して腕部に支持される。このように底板は、一対の腕部を有する所定の棚部に対して安全に支持することができる。
【００９０】
棚部の係止部には、係止片からの鉤状フックの抜け止めをするネジ部材を螺着させるネジ穴が上下方向に複数併設され、係止片の上下方向の配列の異なりに対応して、ネジ部材の上下位置が可変される。このような構成により、棚部は、上下配列のことなる各係止片から適宜抜け止めされた状態で底板を支持することができる。
【図面の簡単な説明】
【図１】本発明の陳列棚の底板を示す斜視図。
【図２】前記底板の平面図。
【図３】前記底板の正面図。
【図４】図２におけるＡ−Ａ断面図。
【図５】本発明の陳列棚の支持棚を示す斜視図。
【図６】前記支持棚の平面図。
【図７】本発明の専用台の第一例を示す斜視図。
【図８】本発明のサンプル台の第一例を示す斜視図。
【図９】使用状態の第一例を示す側断面図。
【図１０】（ａ）〜（ｆ）の使用状態の模式図。
【図１１】本発明の専用台の第二例を示す斜視図。
【図１２】本発明のサンプル台の第二例を示す斜視図、
【図１３】（ａ）本発明のサンプル台の第二例を示す正面図。
（ｂ）本発明のサンプル台の第二例を示す側断面図。
【図１４】使用状態の第二例を示す側断面図。
【図１５】本発明の専用台の第三例を示す斜視図。
【図１６】使用状態の第三例を示す側断面図。
【図１７】本発明の専用台の第四例を示す斜視図。
【図１８】使用状態の第四例を示す側断面図。
【図１９】本発明の専用台の第五例を示す斜視図。
【図２０】使用状態の第五例を示す側断面図。
【図２１】棚部を有する商品陳列棚を示す斜視図。
【図２２】前記棚部を示す斜視図。
【図２３】本発明の陳列棚を棚部に載置した側断面図。
【図２４】他の棚部を示す斜視図。
【図２５】（ａ）（ｂ）前記棚部の取付状態を示す側断面図。
【図２６】従来の陳列棚を示す斜視図。
【符号の説明】
１…底板、２…支持棚、３（３ａ，３ｂ，３ｃ，３ｄ，３ｅ）…専用台、４（４ａ，４ｂ）…サンプル台、１１…第二溝条（取付溝）、１３…脚部、１９…段部、５９…マニキュアテスター（テスター）、６２，７５…棚部、６４…支柱、６９…基枠、７０…棚板、７６…係止部、７７…腕部、７９…鉤状フック、８０…係止片、８３…ネジ部材、８４…ネジ穴。
【図１】
0003828749.tif 000002
【図２】
0003828749.tif 000003
【図３】
0003828749.tif 000004
【図４】
0003828749.tif 000005
【図５】
0003828749.tif 000006
【図６】
0003828749.tif 000007
【図７】
0003828749.tif 000008
【図８】
0003828749.tif 000009
【図９】
0003828749.tif 000010
【図１０】
0003828749.tif 000011
【図１１】
0003828749.tif 000012
【図１２】
0003828749.tif 000013
【図１３】
0003828749.tif 000014
【図１４】
0003828749.tif 000015
【図１５】
0003828749.tif 000016
【図１６】
0003828749.tif 000017
【図１７】
0003828749.tif 000018
【図１８】
0003828749.tif 000019
【図１９】
0003828749.tif 000020
【図２０】
0003828749.tif 000021
【図２１】
0003828749.tif 000022
【図２２】
0003828749.tif 000023
【図２３】
0003828749.tif 000024
【図２４】
0003828749.tif 000025
【図２５】
0003828749.tif 000026
【図２６】
0003828749.tif 000027